(57)【特許請求の範囲】
【請求項１】
ネットワークへの接続が可能な携帯端末装置であって、
無線通信により上記ネットワークへの接続を行う無線通信インターフェイスと、
有線通信により直接的または間接的に上記ネットワークへの接続を行う有線通信インターフェイスと、
上記有線通信インターフェイスによる上記ネットワークとの通信が可能かどうかを判断する有線通信判断手段と、
内蔵されるバッテリの充電または代替のために、外部からの電源が供給される外部電源供給部と、
上記外部電源供給部に外部からの電力供給がされる状態になったことを検出する電力供給状態検出手段と、
上記電力供給状態検出手段が上記外部からの電力供給がされる状態を検出した後においては、上記有線通信判断手段の判断結果に関わらず、上記無線通信インターフェイスを利用可能な状態に設定する制御手段と、
を具備することを特徴とする携帯端末装置。
【請求項２】
上記バッテリの残量を検出するバッテリ残量検出手段を更に具備し、
上記制御手段は、上記電力供給状態検出手段が上記外部からの電力供給がされる状態を検出した後においては、上記バッテリ残量検出手段の検出結果に関わらず、上記無線通信インターフェイスを利用可能な状態に設定することを特徴とする請求項１に記載の携帯端末装置。
【請求項３】
操作者によって操作され、上記無線通信インターフェイスを含めて供給される電源をオンオフする電源オンオフスイッチと、上記無線通信インターフェイスによる無線通信機能をオンオフする無線オンオフスイッチと、の少なくとも一つを更に具備し、
上記制御手段は、上記電力供給状態検出手段が上記外部からの電力供給がされる状態を検出した後においては、上記オンオフスイッチの状態に関わらず、上記無線通信インターフェイスを利用可能な状態に設定することを特徴とする請求項１に記載の携帯端末装置。
【請求項４】
上記電力供給状態検出手段は、上記外部電源供給部に供給される電圧を検出した結果に基づいて信号を出力することを特徴とする請求項１に記載の携帯端末装置。
【請求項５】
上記電力供給状態検出手段は、上記外部電源供給部に対して予め決められた相対位置に設けられ、光、磁界または電界を利用して当該外部電源供給部に対して外部の電源が電気的に接続したことを検出した結果に基づいて信号を出力することを特徴とする請求項１に記載の携帯端末装置。
【請求項６】
上記電力供給状態検出手段が上記外部からの電力供給がされる状態を検出している間は、上記制御手段は、上記無線通信インターフェイスを利用可能な状態に設定していることを特徴とする請求項１に記載の携帯端末装置。
【請求項７】
上記電力供給状態検出手段が上記外部からの電力供給がされる状態の中断を検出したとき、上記制御手段は、上記無線通信インターフェイスを利用可能な状態の設定を解除することを特徴とする請求項１に記載の携帯端末装置。
【請求項８】
上記制御手段は、上記無線通信インターフェイスを通じた上記ネットワークとの通信が所定の時間内に確立されないとき、上記無線通信インターフェイスを利用可能な状態の設定を解除することを特徴とする請求項１に記載の携帯端末装置。
【請求項９】
被写体を撮像する撮像手段と、
当該撮像手段によって撮像された当該被写体の画像のデータを記憶する記憶手段と、
利用可能な無線通信インターフェイスまたは有線通信インターフェイスを通じた、上記記憶手段に記憶された画像のデータに対する上記ネットワーク側からのアクセスを、制限するアクセス制限手段と、
を更に具備することを特徴とする請求項１乃至８の何れかに記載の携帯端末装置。
【請求項１０】
上記記憶手段が上記撮像手段によって撮像された画像のデータ以外のデータを記憶しているとき、上記アクセス制限手段は、上記撮像手段によって撮像された画像のデータを含む上記記憶手段の記憶する一部のデータのみに、上記ネットワーク側からのアクセスを制限することを特徴とする請求項９に記載の携帯端末装置。
【請求項１１】
上記アクセス制限手段は、上記撮像手段によって撮像された画像のデータのみに、上記ネットワーク側からのアクセスを制限することを特徴とする請求項１０に記載の携帯端末装置。
【請求項１２】
上記無線通信インターフェイスが利用可能な状態に設定されているときには、上記記憶手段及び上記アクセス制限手段を少なくとも含む本携帯端末装置の一部のみに、電源が供給されていることを特徴とする請求項９に記載の携帯端末装置。
【請求項１３】
無線通信によりネットワークへの接続を行う無線通信インターフェイスと、有線通信により直接的または間接的に上記ネットワークへの接続を行う有線通信インターフェイスと、内蔵されるバッテリの充電または代替のために、外部からの電源が供給される外部電源供給部と、を備える携帯端末装置におけるネットワーク接続制御方法であって、
上記外部電源供給部に外部からの電力供給がされる状態になったかを検出し、
上記外部からの電力供給がされる状態を検出した後においては、上記有線通信インターフェイスによる上記ネットワークとの通信が可能かどうかに関わらず、上記無線通信インターフェイスを利用可能な状態に設定する、
ことを特徴とするネットワーク接続制御方法。
【発明の詳細な説明】
【技術分野】
【０００１】
本発明は、ネットワークへの接続が可能な携帯端末装置、及び、そのような携帯端末装置におけるネットワークへの接続の制御方法に関する。
【背景技術】
【０００２】
近年、ＬＡＮ等のネットワークへの接続を無線で行う無線通信インターフェイス（以下、Ｉ／Ｆと略記する）を搭載した電子スチルカメラ（以下、デジタルカメラと称す）等の携帯端末装置が普及し始めている。
【０００３】
無線通信Ｉ／Ｆ搭載の第１の目的は、ケーブルレスでのデータ転送の実現である。
【０００４】
更に近年では、公衆無線ＬＡＮサービス（ホットスポット等と称される）が整備されつつあり、デジタルカメラ等の携帯端末装置自体に無線通信Ｉ／Ｆを搭載することにより、上記公衆無線ＬＡＮサービスを経由して、撮影した写真のデータを外出先からインターネット上のサーバなどに転送することが実現されている。このことが無線通信Ｉ／Ｆ搭載の第２の自的となっている。
【０００５】
また第３の目的として、デジタルカメラ等の携帯端末装置に搭載された無線通信Ｉ／Ｆにより当該デジタルカメラをホーム（家電）ネットワークに接続できれば、同ネットワークに接続されている他のパーソナルコンピュータ（以下、ＰＣと略記する）やテレビ等から、該デジタルカメラを操作することなく、該デジタルカメラに蓄えられている画像データにアクセス可能となり、利便性が向上することが考えられている。
【０００６】
しかしながら、既存の無線通信Ｉ／Ｆを搭載したデジタルカメラにおいて、無線通信Ｉ／Ｆの動作を開始させるには、デジタルカメラ側のスイッチ（以下、ＳＷと略記する）によって開始指示を与えなければならず、不便であった。
【０００７】
この開始ＳＷの問題の解決のため無線通信Ｉ／Ｆを常時オンとすると、無線は受信といえども大きな電力を消費するため、電池短期消耗につながるという問題があった。また、ネットワークへの常時接続を可能とし、いつでも、ネットワークに接続されたＰＣやテレビ等から、デジタルカメラ内の画像にアクセスすることを可能にしようとしても、上記電池短期消耗の問題があった。
【０００８】
そこで、特許文献１には、この消費電流の問題と無線の待ち受け開始の操作の煩雑さを解消するため、外部電源供給の開始と共に、無線の待ち受け動作を自動的に開始するようにした端末装置及び待ち受け動作制御方法が提案されている。
【特許文献１】特開２００６−４９９４２号公報
【発明の開示】
【発明が解決しようとする課題】
【０００９】
一方、電池消耗、通信安定性等の理由から、デジタルカメラ等の携帯端末装置自体に無線通信Ｉ／Ｆを搭載した場合でも、従来通りのＵＳＢ等の有線通信Ｉ／Ｆを並存していることが多い。
【００１０】
このように無線通信Ｉ／Ｆと有線通信Ｉ／Ｆが並存している場合、無線通信と有線通信の選択は、スイッチ等の入力装置による切り替えで実現しているものが多く、不便であった。
【００１１】
また従来では、無線通信と有線通信がどちらも使用可能な場合、通信安定性や消費電流等の理由から、有線通信の使用を優先していた。しかし、有線通信の代表形態であるＵＳＢ接続では、デジタルカメラをＰＣとＵＳＢで接続しＰＣのドライブ共有機能によりデジタルカメラ内の情報をネットワーク上で共有すること実現されているが、この為には、ＰＣとカメラの両方の電源を常時オンとする必要があり、またドライブの共有設定等も必要であり、一般ユーザにとって障害であった。
【００１２】
これに対し、無線通信の代表例である無線ＬＡＮは、ネットワーク接続機器から直接アクセスが可能であり、途中にＰＣ等を必要としないが、前述の通り電池消耗の問題がある。
【００１３】
上記特許文献１に開示の技術は、無線通信Ｉ／Ｆのみを搭載している場合を前提としており、無線通信Ｉ／Ｆと有線通信Ｉ／Ｆが並存している場合については、何ら記載されていない。
【００１４】
本発明は、上記の点に鑑みてなされたもので、無線通信Ｉ／Ｆと有線通信Ｉ／Ｆが並存している場合に、特別な操作や設定を行わなくてもネットワーク接続機器からのアクセスを可能とする携帯端末装置及びネットワーク接続制御方法を提供することを目的とする。
【課題を解決するための手段】
【００１５】
本発明の携帯端末装置の一態様は、ネットワークへの接続が可能な携帯端末装置であって、
無線通信により上記ネットワークへの接続を行う無線通信インターフェイスと、
有線通信により直接的または間接的に上記ネットワークへの接続を行う有線通信インターフェイスと、
上記有線通信インターフェイスによる上記ネットワークとの通信が可能かどうかを判断する有線通信判断手段と、
内蔵されるバッテリの充電または代替のために、外部からの電源が供給される外部電源供給部と、
上記外部電源供給部に外部からの電力供給がされる状態になったことを検出する電力供給状態検出手段と、
上記電力供給状態検出手段が上記外部からの電力供給がされる状態を検出した後においては、上記有線通信判断手段の判断結果に関わらず、上記無線通信インターフェイスを利用可能な状態に設定する制御手段と、
を具備することを特徴とする。
【００１６】
また、本発明のネットワーク接続制御方法の一態様は、無線通信によりネットワークへの接続を行う無線通信インターフェイスと、有線通信により直接的または間接的に上記ネットワークへの接続を行う有線通信インターフェイスと、内蔵されるバッテリの充電または代替のために、外部からの電源が供給される外部電源供給部と、を備える携帯端末装置におけるネットワーク接続制御方法であって、
上記外部電源供給部に外部からの電力供給がされる状態になったかを検出し、
上記外部からの電力供給がされる状態を検出した後においては、上記有線通信インターフェイスによる上記ネットワークとの通信が可能かどうかに関わらず、上記無線通信インターフェイスを利用可能な状態に設定する、
ことを特徴とする。
【発明の効果】
【００１７】
本発明によれば、外部電力供給時には有線接続の有無に関わらず無線通信Ｉ／Ｆを使用可能にするので、無線通信Ｉ／Ｆと有線通信Ｉ／Ｆが並存している場合に、特別な操作や設定を行わなくてもネットワーク接続機器からのアクセスを可能とする携帯端末装置及びネットワーク接続制御方法を提供することができる。
【発明を実施するための最良の形態】
【００１８】
以下、本発明を実施するための最良の形態を図面を参照して説明する。
【００１９】
［第１実施形態］
図１（Ａ）及び（Ｂ）は、本発明の携帯端末装置の第１実施形態としてのデジタルカメラ１０の外観を示す斜視図で、（Ａ）は該デジタルカメラ１０の被写体側である前面から見た図であり、（Ｂ）は該デジタルカメラ１０を使用者が操作する側である背面から見た図である。
【００２０】
デジタルカメラ１０の上面には、使用者の右手側に、撮影を指示するレリーズボタン１２が配置され、その隣に当該デジタルカメラ１０の電源をオン／オフする電源ＳＷ１４が備えられている。
【００２１】
デジタルカメラ１０の前面には、フラッシュランプ１６、撮影時に撮像光を取り入れるレンズ１８が備えられている。
【００２２】
デジタルカメラ１０の側面には、有線通信用のケーブルを接続するための有線接続コネクタ２０、及び外部電源給電用のケーブルを接続するための外部電源コネクタ２２が設けられている。但し、電磁誘導を利用した無接点電力伝送により給電する構成を採る場合には、外部電源コネクタ２２は設けられない。また、これら有線接続コネクタ２０及び外部電源コネクタ２２の位置は、この側面に限定されるものではなく、他方の側面や、デジタルカメラ１０の背面、または下面であっても構わない。更に、有線接続コネクタ２０及び外部電源コネクタ２２は、むき出しであっても良いし、蓋を設けても良い。
【００２３】
デジタルカメラ１０の背面には、撮影される被写体像や再生モード時に該デジタルカメラ１０に記録された画像やメニュー項目やメッセージ等を表示するカラー液晶表示装置２４、そのカラー液晶表示装置２４に該デジタルカメラ１０の各種動作条件を設定するメニュー項目が表示された際にメニュー項目の選択や動作状態の変更を指示する十字カーソルボタン２６、該デジタルカメラ１０の各種動作条件を設定するためのメニュー項目を呼び出すメニューボタン２８、を備える。その他に、メニュー項目から選択した項目を指示する決定ボタンや該デジタルカメラ１０の動作状態を指示するその他のボタンがある。
【００２４】
また図示しないが、該デジタルカメラ１０の下面には、本デジタルカメラ１０が撮像した画像データを格納するメモリカード、及びバッテリを装填するための機構が設けられる。
【００２５】
図２は、本デジタルカメラ１０の電気的な構成を示すブロック図である。
【００２６】
デジタルカメラ１０は、制御部３０、ＲＯＭ３２、ＲＡＭ３４、撮像部３６、無線通信回路部３８、アンテナ４０、操作部４２、表示部４４、及び画像データ記憶部４６から構成されており、図示するように相互に接続されている。また、デジタルカメラ１０は、電源回路部４８を備え、上記各ブロックに電源を供給する。更に、デジタルカメラ１０は、電力供給状態検出部５０、外部電源給電部５２、有線通信回路部５４、有線接続検出部５６、及び上記有線接続コネクタ２０を備えている。
【００２７】
制御部３０は、デジタルカメラのシーケンス制御する制御部であり、ＲＯＭ３２に格納されているプログラムに従って動作する。
【００２８】
ＲＯＭ３２は、フラッシュＲＯＭ（Flash ROM）等の不揮発メモリであり、該デジタルカメラ１０の制御のためプログラムデータ及び各種設定情報、更には、後述するようなネットワーク公開用ファイルリスト（仮想ディレクトリ）が格納される。
【００２９】
ＲＡＭ３４は、撮像部３６から出力されるデジタル画像データの一時的なバッファリング、制御部３０の演算等に使用するワークエリア、各種設定等を一時的に格納するエリアとして使用される。
【００３０】
撮像部３６は、入射する光を結像する上記レンズ１８、結像した光を電気信号へ変換する光電変換器（ＣＣＤやＣＭＯＳセンサ等）、光電変換器から出力されるアナログ電気信号をデジタル電気信号へ変換するＡＤコンバータ（アナログ−デジタル変換器）等から構成される。
【００３１】
無線通信回路部３８は、無線通信に必要な高周波回路部，符号化・復号化回路部，無線通信時のバッファメモリ，等から構成される無線Ｉ／Ｆであり、アンテナ４０が接続されている。
【００３２】
操作部４２は、上記のレリーズボタン１２，十字カーソルボタン２６，メニューボタン２８，等のボタンやスイッチで構成され、これらボタン、スイッチの状態及び状態変化を電気信号として出力する。
【００３３】
表示部４４は、上記カラー液晶表示装置２４及びその制御回路から構成される。
【００３４】
画像データ記憶部４６は、撮影したデジタル画像データ等を格納する記憶装置である。内蔵型のフラッシュＲＯＭ等の不揮発性メモリを画像データ記憶部として持つ構成や、本体から着脱可能なメモリカード等を該画像データ記憶部４６として持つ構成があり、どちらの構成を取っても構わない。
【００３５】
電力供給状態検出部５０は、後述するようにして、外部電源からの電源の供給が可能になったことを検知する接続検知部である。
【００３６】
外部電源給電部５２は、上記外部電源コネクタ２２による接点接続によって直接電力を給電する構成や、電磁誘導を利用した無接点電力伝送により給電する構成等があり、どの構成を取っても構わない。
【００３７】
有線通信回路部５４は、上記有線接続コネクタ２０を介してケーブルと接続され、外部機器と通信を行う有線通信Ｉ／Ｆである。なお、この有線通信回路部５４としては、イーサネット（登録商標）ケーブルにより直接的にネットワークに接続するものであっても良いし、ＵＳＢケーブルで接続されたＰＣを介して間接的にネットワークに接続するものであっても良い。
【００３８】
有線接続検出部５６は、上記有線接続コネクタ２０へのケーブル（イーサネットケーブル又はＵＳＢケーブル）の接続により機械的なスイッチがオンされたことでケーブル接続を検知する構成や、光、磁界または電界を利用したセンサによりケーブルの接続を検知する構成等があり、どの構成を取っても構わない。また、ＵＳＢケーブルにより通信と同時に電源の供給も可能な場合があり、そこで、該有線接続検出部５６は、上記有線接続コネクタ２０に接続されたケーブルから入力された信号の電圧を検知し、制御部３０に有線接続を通知する機能も備えている。また、実際に有線通信を決められたタイミングで実施してみて、その応答により、有線接続の検出を行う方法も考えられる。
【００３９】
上記有線接続コネクタ２０は、有線接続時のケーブルを保持するとともに、ケーブルからの信号を有線通信回路部５４に伝達する。また、ケーブルから供給される電源を電源回路部４８に接続する構成になっている。
【００４０】
電源回路部４８は、バッテリ，ＤＣ／ＤＣコンバータ，バッテリチェック回路，等で構成され、電源ＳＷ１４がオンされたことを検知して、前述した各ブロックへ電源を供給する。なお、この電源回路部４８は、外部電源給電部５２から給電可能状態にある場合、及び有線接続時で給電可能状態にある場合は、上記バッテリを充電する機能も有している。また、バッテリ充電動作と同時に、バッテリを介在せずに、外部から供給された電源を供給することも可能である。更に、バッテリの残量を検出する機能も有している。
【００４１】
このような構成を持つデジタルカメラ１０は、撮影したデジタル画像を他の電子機器へ有線通信または無線通信によって送信する機能を有する。
【００４２】
なお、上記電力供給状態検出部５０での検知方法には、以下の３つのパターンが考えられる。
【００４３】
１）外部電源給電部５２に供給される電圧を直接検知する方法。
【００４４】
２）外部電源給電部５２が電磁誘導を利用した無接点電力伝送により給電する構成である場合、その磁界や電界を感知する方法。
【００４５】
３）図示しない、外部電源供給装置との機械的嵌合を磁界または電界を利用したセンサにより電源の供給が可能になったことを検知する方法。更に具体的には、例えば外部電源供給装置をクレードルとした場合、そのクレードルとの嵌合を光学的センサで感知したり、クレードルに磁石を埋め込みこれを磁気センサで感知したり、あるいは、ＲＦＩＤタグを埋め込み、その読み取りで感知したりできる。上記クレードルは小型コネクタでも、その形状に上記感知が可能なスペースがあれば実現可能である。
【００４６】
次に、上記のような構成のデジタルカメラ１０の、無線通信Ｉ／Ｆにまつわる動作について説明する。
【００４７】
図３は、上記デジタルカメラ１０のメインルーチンから所定のタイミングで実施される無線通信ルーチンのフローチャートを示す図である。
【００４８】
即ち、本ルーチンでは、まず、当該デジタルカメラ１０に外部電源から電源が供給される状態であるか否かを電力供給状態検出部５０によって検出する（ステップＳ１０）。ここで、外部電源の供給が検出された場合には、無線通信回路部３８を含めて無線と内部データへのアクセスに必要なブロックの電源を立ち上げる（ステップＳ１２）。即ち、無線通信回路部３８は、電源ＳＷ１４がオンされてもその電源は立ち上がらないように構成されており、外部電源の供給が検出されたならば無条件に無線通信回路部３８の電源を立ち上げるようになっている。なお、通常の電源ＳＷ１４操作による電源オンでは、電源回路部４８から上記の各機能ブロックに電源が供給されるのが一般的であるが、このように外部電源の供給を検知して無線通信をオンする場合は、デジタルカメラ１０内部の全てのブロックに電源を供給する必要はなく、無線と内部データへのアクセスに必要なブロック（例えば、無線通信回路部３８と制御部３０、画像データ記憶部４６等）だけに電源を供給すれば良い。
【００４９】
一方、上記ステップＳ１０において、外部からの電源供給がないと判別した場合には、有線接続検出部５６によって有線接続が利用可能か否かを判断し（ステップＳ１４）、利用可能であるならば、有線通信回路部５４による有線通信を利用するものとして無線通信回路部３８の電源は立ち上げずに、本ルーチンを終了して、メインルーチンに戻り、図示しない有線通信の手順へと進むことになる。
【００５０】
また、有線接続が利用可能でない場合には、電源ＳＷ１４がオン状態であるか否かを判別し（ステップＳ１６）、電源ＳＷ１４がオン状態でない場合には、本ルーチンを終了して、メインルーチンに戻る。これに対して、電源ＳＷ１４がオン状態の場合には、更に、無線ＳＷがオンされているか否かを判別する（ステップＳ１８）。なお、無線ＳＷとは、操作者が任意に無線をオンしたい場合に機器に指示を与えるもので、表示部４４と操作部４２のＧＵＩで構成されるスイッチあっても良いし、一つのボタンとして構成されるスイッチでも良い。後者の場合でも、例えば鞄に入れたデジタルカメラ１０に鞄内の何かが接触して電源ＳＷ１４と無線ＳＷの両方をオンにしてしまう確率は少ない。従って、ユーザが意図しないで無線通信回路部３８の電源が立ち上がってネットワークに接続されてしまうおそれは少ない。
【００５１】
上記無線ＳＷがオンされていない場合には、本ルーチンを終了して、メインルーチンに戻る。これに対して、無線ＳＷがオンされている場合には、更に、電源回路部４８によってバッテリの残量をチェックし（ステップＳ２０）、バッテリ残量が少ない場合には、本ルーチンを終了して、メインルーチンに戻る。バッテリの残量が十分多ければ、つまり所定量以上あれば、上記ステップＳ１２に進んで、無線通信回路部３８の電源を立ち上げる。即ち、通常の無線通信の開始操作がユーザによって行われた場合には、無線通信回路部３８の電源を立ち上げる。
【００５２】
なお、本実施形態では、上述のように有線接続が利用可能か判断し、利用可能なら有線接続を利用し無線通信は利用しないものとしているが、本発明は外部電源が供給可能であれば、有線接続が利用可能か可能でないかに関わらず、無線通信を利用可能にするということが主旨であり、従って、このステップＳ１４を削除して、無線とは無関係に有線接続をオン／オフし、無線と有線が並存する環境を作っても良いし、有線は常にオンでも良いし、電源が接続されれば有線をオフするような構成としても良い。
【００５３】
また、上記ステップＳ１６乃至Ｓ２０は一例として挙げたものであり、全てが必ずしも必要ではなく、任意に削除可能である。例えば、電源ＳＷ１４が入っている場合は必ず無線通信をオンにしたい場合は、上記ステップＳ１８を削除しても良い。
【００５４】
上記ステップＳ１２で無線通信回路部３８に電源が投入されならば、次に、ＲＯＭ３２にネットワーク公開用ファイルリストが作成されているかどうか確認する（ステップＳ２２）。ここで、ネットワーク公開用ファイルリストが未だ作成されていない場合には、ネットワーク公開用ファイルリストを作成する（ステップＳ２４）。このネットワーク公開用ファイルリストは、画像データ記憶部４６に記憶されているファイルのリストである。
【００５５】
上記ステップＳ２２においてネットワーク公開用ファイルリストが作成済みであると判断されたならば、あるいは、上記ステップＳ２４でネットワーク公開用ファイルリストを作成したならば、次に、ネットワーク接続開始サブルーチンをコールして、無線通信回路部３８によるネットワーク接続を開始する（ステップＳ２６）。
【００５６】
図４は、このネットワーク接続開始サブルーチンのフローチャートを示す図である。
【００５７】
即ち、まず、制御部３０内等に設けた図示しないネットワーク接続タイマをクリアした後にスタートし（ステップＳ２６Ａ）、無線通信回路部３８によるネットワークへの接続を開始する（ステップＳ２６Ｂ）。そして、無線通信回路部３８を通じたネットワークとの通信つまりネットワーク接続が確立したか否かを確認し（ステップＳ２６Ｃ）、ネットワーク接続が確立したならば、本ネットワーク接続開始サブルーチンを終了して、上位のルーチンに戻る。
【００５８】
これに対して、ネットワーク接続が未だ確立しない場合には、上記ネットワーク接続タイマで計時している時間が、予め決められた一定時間を経過したか否かを判別する（ステップＳ２６Ｄ）。そして、未だその一定時間を経過していなければ、上記ステップＳ２６Ｃに戻る。これに対して、一定時間を経過したと判別された場合には、本ネットワーク接続開始サブルーチンを終了して、上位のルーチンに戻る。
【００５９】
こうして、図３のルーチンに戻ったならば、ネットワークへの接続が正常に完了したか否かを判別し（ステップＳ２８）、正常に完了しなかった場合には、無線通信回路部３８を含めて無線と内部データへのアクセスに必要なブロックの電源をオフした上で（ステップＳ３０）、本ルーチンを終了して、メインルーチンに戻る。
【００６０】
これに対して、ネットワークへの接続が正常に完了した場合には、無線を経由して繋がったネットワーク側からのアクセスが可能となる。そして、ネットワークからアクセスが有ったか否かを判別する（ステップＳ３２）。ここで、ネットワークからアクセスが有った場合、つまりネットワークに接続されているテレビ等の外部機器からアクセスが有った場合には、ネットワーク応答サブルーチンをコールして、そのアクセス内容に応じた応答を行う（ステップＳ３４）。そして、上記ステップＳ３２に戻る。なお、このネットワーク応答サブルーチンの詳細については後述する。このように、ネットワークに接続された外部機器からの要求に対して、随時、応答を返す。
【００６１】
また、上記ステップＳ３２において、ネットワークからのアクセスが無いと判別した場合には、当該デジタルカメラ１０に外部電源から電源が供給される状態であるか否かを電力供給状態検出部５０によって検出する（ステップＳ３６）。ここで、外部電源の供給が検出された場合には、上記ステップＳ３２に戻る。即ち、無線通信によるバッテリの消耗を軽減し、無線通信を常時オンにすることによるネットワークからの常時アクセスを実現する為、外部電源から電源供給を受けている間は、無線通信をオフにしない。
【００６２】
これに対して、外部電源が供給されていないと判別した場合には、上記ステップＳ１４乃至ステップＳ２０を経てユーザ操作により無線がオンされた場合であるので、まず、電源ＳＷ１４がオン状態であるか否かを判別し（ステップＳ３８）、電源ＳＷ１４がオン状態でない場合には、上記ステップＳ３０に進んで無線通信回路部３８を含めて無線と内部データへのアクセスに必要なブロックの電源をオフした上で、本ルーチンを終了して、メインルーチンに戻る。
【００６３】
一方、電源ＳＷ１４がオン状態である場合には、更に、無線ＳＷがオンされているか否かを判別し（ステップＳ４０）、無線ＳＷがオンされていない場合には、上記ステップＳ３０に進んで無線通信回路部３８を含めて無線と内部データへのアクセスに必要なブロックの電源をオフした上で、本ルーチンを終了して、メインルーチンに戻る。
【００６４】
そして更に、無線ＳＷがオンされている場合には、更に、電源回路部４８によってバッテリの残量をチェックし（ステップＳ４２）、バッテリ残量が少ない場合には、やはり上記ステップＳ３０に進んで無線通信回路部３８を含めて無線と内部データへのアクセスに必要なブロックの電源をオフした上で、本ルーチンを終了して、メインルーチンに戻る。また、バッテリの残量が十分多ければ、上記ステップＳ３２に戻る。
【００６５】
なお、上記ステップＳ３８乃至Ｓ４２は一例として挙げたものであり、全てが必ずしも必要ではなく、任意に組み合わせが可能である。例えば、バッテリのチェックはせずにぎりぎりまで無線を使うとすれば、上記ステップＳ４２を無くし、ステップＳ４０で無線ＳＷがオンされていると判断した場合には処理をステップＳ３２へ戻せば良い。
【００６６】
図５は、上記ステップＳ３４でコールされるネットワーク応答サブルーチンのフローチャートを示す図である。
【００６７】
即ち、まず、ネットワークからのアクセスが、ネットワーク公開用ファイルリストの参照要求であるか否かを判別し（ステップＳ３４Ａ）、そうであれば、ＲＯＭ３２に作成されているネットワーク公開用ファイルリストを現在の画像データ記憶部４６の内容と合致するように更新した後（ステップＳ３４Ｂ）、その更新したネットワーク公開用ファイルリストを返信する（ステップＳ３４Ｃ）。ネットワークに接続されているテレビ等の外部機器は、この返信されたネットワーク公開用ファイルリストにより、該デジタルカメラ１０が保持するファイルを知り、ファイルの読み出し、書き込み、削除等の要求が可能となる。
【００６８】
そして、ネットワークから、特定のファイルの読み出しを要求するファイルリード要求があると（ステップＳ３４Ｄ）、当該ファイルがＲＯＭ３２に作成されているネットワーク公開用ファイルリストに有るか否かを判別し（ステップＳ３４Ｅ）、そのファイルがネットワーク公開用ファイルリストに有れば、画像データ記憶部４６よりそのファイルの実体ファイルを読み出して返信する（ステップＳ３４Ｆ）。これに対して、要求されたファイルがネットワーク公開用ファイルリストに無い場合には、次のステップＳ３４Ｇに進む。なお、このような要求されたファイルがネットワーク公開用ファイルリストに無い場合には、特に図示していないが、「ファイルが有りません」等のエラーメッセージを返信するようにしても良い。これは、上記ステップＳ３４Ｃでネットワーク公開用ファイルリストを送信後に、該デジタルカメラ１０側での操作又はネットワーク上の他の機器からの削除要求によって、対応する実体ファイルが削除されてしまっているような場合に起こり得る。このような場合には、上記ネットワーク上の外部機器は、再び上記ネットワーク公開用ファイルリストの参照要求を該デジタルカメラ１０に送信することで、更新されたネットワーク公開用ファイルリストを入手すれば良い。
【００６９】
また、ネットワークから、ファイルの書き込みを要求するファイルライト要求があった場合には（ステップＳ３４Ｇ）、当該ファイルの実体を画像データ記憶部４６に記憶する（ステップＳ３４Ｈ）。そして、そのファイルについてネットワーク公開用ファイルリストを更新する（ステップＳ３４Ｉ）。
【００７０】
ネットワークから、特定のファイルの削除を要求するファイル削除要求がなされた場合には（ステップＳ３４Ｊ）、対応する実体ファイルが画像データ記憶部４６に存在するか否かを判別する（ステップＳ３４Ｋ）。そして、該当する実体ファイルが無い場合には、即ち、既に削除されている場合には、現状に合うようにネットワーク公開用ファイルリストを更新する（ステップＳ３４Ｌ）。また、該当する実体ファイルが有る場合には、その実体ファイルを削除した後に（ステップＳ３４Ｍ）、ステップＳ３４Ｌに進んで、ネットワーク公開用ファイルリストを更新する。
【００７１】
なお、上記ネットワーク公開用ファイルリストは、デジタルカメラ１０で撮影を行って画像データのファイルが作成される毎に、また、操作部４２の操作で不要な画像データのファイルが削除される毎に、更新されることは勿論である。
【００７２】
あるいは、電源ＳＷ１４のオフ操作に応じてネットワーク公開用ファイルリストを削除し、電源ＳＷ１４がオン操作されたときにそれを新たに作成するようにしても良い。画像データ記憶部４６として、デジタルカメラ１０の本体から着脱可能なメモリカード等を持つ構成の場合、メモリカードの差し替えによってネットワーク公開用ファイルリストと実際の画像データ記憶部４６の内容とが全く異なってしまうが、このように電源オンオフでネットワーク公開用ファイルリストを作成し直すことで、そのような不一致が生じないようにすることができる。
【００７３】
勿論、メモリカードのＩＤ等を関連付けて、各メモリカード毎にネットワーク公開用ファイルリストを作成保存するようにしても良く、そのようにすれば、電源オンオフ毎にネットワーク公開用ファイルリストを作成し直す必要はない。
【００７４】
以上のように、本第１実施形態によれば、外部電源が供給された場合は、有線回線による接続の有無、電池の残量等に関わらず、室内もしくはホーム（家電）ネットワークの利用可能範囲に当該デジタルカメラ１０が存在するものとして、自動的に無線通信回路部３８を起動し、画像データ記憶部４６に記憶されている撮影した画像データのファイルにアクセスできるように受信待ち受け状態を維持するので、ユーザの利便性が向上する。即ち、有線回線途中の有線ＬＡＮの中継装置やＰＣが稼動していない場合であっても、無線経由でホームネットワーク等に接続され、ＰＣやテレビ等の外部機器から言い換えればネットワーク側からの内部データにアクセスが可能となる。
【００７５】
また、外部電源が供給されていない場合は、当該デジタルカメラ１０がホームネットワークの利用可能範囲には存在しないとして、無線通信回路部３８を停止し、消費電力を下げることにより、デジタルカメラ１０の動作時間が短くなることを防ぐ。
【００７６】
［第２実施形態］
次に、本発明の第２実施形態を説明する。
【００７７】
デジタルカメラ１０の画像データ記憶部４６として、近年、ＳＤメモリカードなどの取り外し可能なフラッシュＲＯＭが使われることもある。このフラッシュＲＯＭは近年容量拡大が著しく、大容量を安価に実現できている。また、フラッシュＲＯＭは、デジタルカメラだけでなく、音楽再生装置、ＰＣなど様々な機器で使用可能である。そのため、デジタルカメラ１０等の携帯端末装置でフラッシュＲＯＭを画像データ記憶部４６として使用する際、その中には、ユーザが撮影した画像データのファイルだけでなく、音楽、文字情報、映像、動画など数多くの種類のファイルがそれぞれ多数混在する可能性がある。
【００７８】
そこで、本第２実施形態では、上記ステップＳ２４で作成され、上記ステップＳ３４Ｂ，Ｓ３４Ｉ，Ｓ３４Ｌで更新されるネットワーク公開用ファイルリストを工夫することで、画像データ記憶部４６に記憶されたファイルに対するネットワーク側からのアクセスを制限し、ユーザの利便性を向上するものである。
【００７９】
従って、本第２実施形態に係る携帯端末装置の構成及び動作は、基本的には、上記第１実施形態に係る携帯端末装置の構成及び動作と同様のものであり、上記第１実施形態と異なる部分のみを以下に説明する。
【００８０】
なお、前提として、撮影動作時は、撮像部３６で撮像された画像データが、例えばデジタルカメラ用の標準ファイルシステム規格であるＤＣＦ規格に準拠したＪＰＥＧ等の所定のフォーマットに変換された後、撮影機器情報を付加され画像データ記憶部４６に格納される。本実施形態では、ネットワークに公開する公開ファイルは、当該デジタルカメラ１０で撮影したもののみとする。当該デジタルカメラ１０で撮影したファイルの識別方法としては、以下の２つがある。
【００８１】
１）Ｅｘｉｆ（Exchangeable Image File Format）データ等のメタデータによる識別。例えばデジタルカメラ用の標準ファイルフォーマット規格であるＥｘｉｆ規格に準拠したＥｘｉｆデータには撮影機材情報が含まれているので、これを利用する。Ｅｘｉｆデータに限らず、画像データファイルの一部にＥｘｉｆデータとは異なるメタデータを埋め込んでも良い。
【００８２】
２）撮影したデータを画像データ記憶部４６に格納する際に特定のフォルダに格納し、そのフォルダに格納したデータだけを、ネットワークからのアクセスを可能とする。さらに、その特定のフォルダ名はカメラ個体別に違うものにすることによって、同型機等で撮影したデータも排除することができる。この、フォルダ名にカメラ個体情報を埋め込む手法は一例であり、フォルダとカメラ個体情報が関連付けられれば、別途関連付けの記憶領域を設けるなど、どのような手法でも構わない。
【００８３】
図６は、本発明の携帯端末装置の第２実施形態としてのデジタルカメラ１０において上記ステップＳ２４でコールされるファイルリスト作成サブルーチンのフローチャートを示す図である。
【００８４】
即ち、まず、ＲＯＭ３２に、内容が空のネットワーク公開用ファイルリストを作成する（ステップＳ２４Ａ）。
【００８５】
そして、画像データ記憶部４６の実体ファイルを検索する（ステップＳ２４Ｂ）。ここで、検索された実体ファイルが、共有フォルダつまり公開フォルダ内のファイルであるか否かを判別する（ステップＳ２４Ｃ）。ここで、共有（公開）フォルダ内のファイルであれば、上記作成したネットワーク公開用ファイルリストに登録する（ステップＳ２４Ｄ）。
【００８６】
前述のように画像データ記憶部４６としてのメモリカードは、他の音楽プレーヤ等の端末と共用可能であり、図７Ａに示すように、音楽データ（例えば、ファイル名「＊＊＊．ｍｐ３」（＊＊＊は任意））等の本装置で撮影された画像データ（例えば、ファイル名「Ａ＊＊＊．ｊｐｇ」）以外のデータも格納されている場合もある。このため、予め決められた特定の共有（公開）フォルダ（例えば、「Ｐｈｏｔｏ」フォルダ）内のファイルであるかどうかを判別して、そうであれば図７Ｂに示すようにネットワーク公開用ファイルリストに登録する。
【００８７】
また、上記ステップＳ２４Ｃにおいて、共有（公開）フォルダ内のファイルでないと判別された場合には、更に、該検索された実体ファイルの撮影機器情報が本デジタルカメラ１０の機器情報と一致するか否かを判別する（ステップＳ２４Ｅ）。ここで、一致すれば、上記ステップＳ２４Ｄに進んで、ネットワーク公開用ファイルリストに登録する。
【００８８】
即ち、予め決められた特定の共有（公開）フォルダ（「Ｐｈｏｔｏ」フォルダ）内のファイルでなくても、図７Ａに「Ｒｏｏｔ」フォルダに記憶されたファイル名「Ａ０１０．ｊｐｇ」のように、本デジタルカメラ１０で撮影された画像データであれば、図７Ｂに示すように、ネットワーク公開用ファイルリストに登録する。図７Ａにファイル名「Ｍ０１０．ｊｐｇ」で示すように、他の機器で作成されたファイルは、当該ファイルの撮影機器情報と本デジタルカメラ１０の機器情報とが一致しないので、図７Ｂに示すように、ネットワーク公開用ファイルリストには登録されない。
【００８９】
そして、画像データ記憶部４６に記憶された全ての実体ファイルを検索したか否かを判別して（ステップＳ２４Ｆ）、未だ全てを検索していない場合には、上記ステップＳ２４Ｂに戻ることで、以上のようなステップＳ２４Ｂ乃至ステップＳ２４Ｅの動作を画像データ記憶部４６に記憶された全ての実体ファイルについて行う。
【００９０】
画像データ記憶部４６に記憶された全ての実体ファイルを検索したならば、本ファイルリスト作成サブルーチンを終了して、上位のルーチンに戻る。
【００９１】
図８は、上記ステップＳ３４Ｂ，Ｓ３４Ｉ，又はＳ３４Ｌでコールされるファイルリスト更新サブルーチンのフローチャートを示す図である。
【００９２】
即ち、まず、画像データ記憶部４６の実体ファイルを検索する（ステップＳ１００）。ここで、検索された実体ファイルが、共有（公開）フォルダ内のファイルであるか否かを判別する（ステップＳ１０２）。ここで、共有（公開）フォルダ内のファイルであれば、更に、それがＲＯＭ３２に構成したネットワーク公開用ファイルリストに登録済みであるか否かを確認し（ステップＳ１０４）、未だ登録されていなければ、登録する（ステップＳ１０６）。
【００９３】
また、上記ステップＳ１０２において、共有（公開）フォルダ内のファイルでないと判別された場合には、更に、該検索された実体ファイルの撮影機器情報が本デジタルカメラ１０の機器情報と一致するか否かを判別する（ステップＳ１０８）。ここで、一致すれば、上記ステップＳ１０４に進んで未登録か確認し、未登録であれば上記ステップＳ１０６にてネットワーク公開用ファイルリストに登録する。
【００９４】
そして、画像データ記憶部４６に記憶された全ての実体ファイルを検索したか否かを判別して（ステップＳ１１０）、未だ全てを検索していない場合には、上記ステップＳ１００に戻ることで、以上のようなステップＳ１００乃至ステップＳ１０８の動作を画像データ記憶部４６に記憶された全ての実体ファイルについて行う。
【００９５】
こうして、画像データ記憶部４６に記憶された全ての実体ファイルを検索することで、ネットワーク公開用ファイルリストに未登録の実体ファイルを追加登録することができる。
【００９６】
そしてその後、ネットワーク公開用ファイルリストには登録されているが実体ファイルが削除されてしまっているものをネットワーク公開用ファイルリストから削除する処理に進む。
【００９７】
即ち、ネットワーク公開用ファイルリスト上のファイルを検索し（ステップＳ１１２）、検索されたファイルが画像データ記憶部４６に実体ファイルとして存在するか否かを確認する（ステップＳ１１４）。ここで、対応する実体ファイルが無い場合には、ネットワーク公開用ファイルリストから当該ファイルを削除する（ステップＳ１１６）。
【００９８】
そして、ネットワーク公開用ファイルリストに登録された全てのファイルを検索したか否かを判別して（ステップＳ１１８）、未だ全てを検索していない場合には、上記ステップＳ１１２に戻ることで、以上のようなステップＳ１１２乃至ステップＳ１１６の動作をネットワーク公開用ファイルリストに登録された全てのファイルについて行い、全てについて行ったならば、本ファイルリスト更新サブルーチンを終了して、上位のルーチンに戻る。
【００９９】
以上のように、本第２実施形態では、ネットワークからアクセス時に、当該デジタルカメラ１０で撮影した画像データ以外へのアクセスを制限する機能を、当該デジタルカメラ１０側に具備することにより、ネットワーク側からアクセス可能なデータが減り、ネットワーク側から参照するデータの選択を簡便にすることができる。
【０１００】
即ち、デジタルカメラ１０をカメラとして、ごく一般的に使用する場合は、当該デジタルカメラ１０で撮影した写真を見たいという要望が一番高い点に着目し、ネットワーク側からアクセスする際はデジタルカメラ１０で撮影したファイルだけを外部からのアクセス可能とすることにより、ネットワーク側から見えるファイルの数を減らし、所望のファイルを早く見つけることができる。
【０１０１】
更に、著作権保護が設定されているファイルに外部からアクセスを許す場合は色々な著作権保護機能に対応しなければならないが、この機能の実装は煩雑であり製品単価の上昇を招く。よって、著作権保護をしなければならないファイルを簡便に選択排除しアクセス不可とすることはメリットがあるが、著作権保護機能は日々進化し、著作権保護されたファイルの特徴を読み取り選別しようとすると、その選別法も保護機能の進化に合わせて改定をする必要がある。本第２実施形態では、問題のない（著作権の問題発生の可能性の低い）データのみに、アクセス可能なものを限定できるため、著作権保護が必要なデータを簡便に選択排除することができ、初心者には好ましい。
【０１０２】
なお、図６及び図８では、公開するファイルの識別方法として上記２つの識別方法の両方を実現した形で説明したが、どちらか一方だけでも構わないことは勿論である。例えば、共有（公開）フォルダ内のファイルのみを公開するとすれば、該デジタルカメラ１０のユーザが作成した音楽ファイルやテキストファイル等の著作権上問題の無いファイルもネットワークからアクセス可能となる。
【０１０３】
なお、上記第１及び第２実施形態では、外部電源給電部５２から給電可能である場合には、有線通信回路部５４によってネットワーク通信可能か否かにかかわらず無線通信回路部３８を起動して無線によりネットワーク通信するものとしているが、無線と有線が並存する環境を作っても良いし、無線によるネットワーク接続が確立されない場合には有線に切り替えるようにしても良いことは勿論である。
【０１０４】
なお、有線通信回路部５４を介したネットワークへの接続においても、上記第２実施形態と同様のアクセス制限を行っても良い。
【０１０５】
あるいは、そのように外部からのアクセスは常に制限するのではなく、有線通信に関してはＵＳＢ接続によりＰＣを介して間接的にネットワークに接続する即ち直接ネットワークに接続せず、無線通信はネットワークに直接接続されている場合は、無線通信の場合のみアクセス制限をすれば、ネットワークからの参照時は画像データだけが見え、ＰＣで詳細に内容を見る場合は全てのファイルが参照でき、更に便利となる。
【０１０６】
また、有線接続が利用不可の時に無線通信回路部３８をオンするとしたが、外部電源が供給されていない場合には、バッテリの残量チェックを行って、残量が少ない場合にはオンしないようにすることが好ましい。但し、ＵＳＢ接続のように有線接続により電源供給可能な場合にはこの限りではない。
【０１０７】
また、電源ＳＷ１４よる電源オンでは、電源回路部４８から各機能ブロックに電源が供給されるのが一般的であるが、外部電源接続を検知して無線通信回路部３８をオンする場合は、デジタルカメラ１０内部の全てのブロックに電源を供給する必要はなく、無線と内部データへのアクセスに必要なブロック（例えば、無線通信回路部３８と制御部３０、画像データ記憶部４６等だけ）だけに電源を供給すれば良い。
【０１０８】
なお、上記実施形態はデジタルカメラ１０を例に記載しているが、撮像した画像データに由来する部分以外は、例えば、携帯情報端末（ＰＤＡ）や無線機能付き音楽再生装置など、他の携帯端末装置にも適用可能である。また、撮像した画像データに由来する部分については、デジタルカメラ１０でなくても、例えば、カメラ付き携帯電話やカメラ付ＰＤＡなど、他の撮像機能付きの携帯端末装置でも適用できる。
【０１０９】
（付記）
前記の具体的実施形態から、以下のような構成の発明を抽出することができる。
【０１１０】
（１）  ネットワーク（ＬＡＮ）への接続が可能な携帯端末装置であって、
無線通信により上記ネットワークへの接続を行う無線通信インターフェイスと、
有線通信により直接的（イーサネット）または間接的（ＵＳＢ＋ＰＣ）に上記ネットワークへの接続を行う有線通信インターフェイスと、
上記有線通信インターフェイスによる上記ネットワークとの通信が可能かどうかを判断する有線通信判断手段と、
内蔵されるバッテリの充電または代替のために、外部からの電源が供給される外部電源供給部と、
上記外部電源供給部に外部からの電力供給がされる状態になったことを検出する電力供給状態検出手段と、
上記電力供給状態検出手段が上記外部からの電力供給がされる状態を検出した後においては、上記有線通信判断手段の判断結果に関わらず、上記無線通信インターフェイスを利用可能な状態に設定する制御手段と、
を具備することを特徴とする携帯端末装置。
【０１１１】
（対応する実施形態）
この（１）に記載の携帯端末装置に関する実施形態は、第１及び第２実施形態が対応する。それらの実施形態において、デジタルカメラ１０が上記携帯端末装置に、無線通信回路部３８が上記無線通信インターフェイスに、有線通信回路部５４が上記有線通信インターフェイスに、有線接続検出部５６が上記有線通信判断手段に、外部電源給電部５２が上記外部電源供給部に、電力供給状態検出部５０が上記電力供給状態検出手段に、制御部３０が上記制御手段に、それぞれ対応する。
【０１１２】
（作用効果）
この（１）に記載の携帯端末装置は、外部電力供給時には有線接続の有無に関わらず無線通信インターフェイスを使用可能にする。  
従って、この（１）に記載の携帯端末装置によれば、途中の有線ＬＡＮ，ＰＣが稼動していない場合であっても、無線通信インターフェイスを稼動させるため、ネットワーク接続機器からアクセスが可能となり、便利である。
【０１１３】
（２）  上記バッテリの残量を検出するバッテリ残量検出手段を更に具備し、
上記制御手段は、上記電力供給状態検出手段が上記外部からの電力供給がされる状態を検出した後においては、上記バッテリ残量検出手段の検出結果に関わらず、上記無線通信インターフェイスを利用可能な状態に設定することを特徴とする（１）に記載の携帯端末装置。
【０１１４】
（対応する実施形態）
この（２）に記載の携帯端末装置に関する実施形態は、第１及び第２実施形態が対応する。それらの実施形態において、電源回路部４８が上記バッテリ残量検出手段に対応する。
【０１１５】
（作用効果）
この（２）に記載の携帯端末装置は、バッテリ残量に関わらず、無線通信インターフェイスを使用可能にする。  
従って、この（２）に記載の携帯端末装置によれば、バッテリ残量が少ない場合でも強制的に無線通信インターフェイスを自動的に稼動させるため、手動による設定が不要で、面倒でない。
【０１１６】
（３）  操作者によって操作され、上記無線通信インターフェイスを含めて供給される電源をオンオフする電源オンオフスイッチと、上記無線通信インターフェイスによる無線通信機能をオンオフする無線オンオフスイッチと、の少なくとも一つを更に具備し、
上記制御手段は、上記電力供給状態検出手段が上記外部からの電力供給がされる状態を検出した後においては、上記オンオフスイッチの状態に関わらず、上記無線通信インターフェイスを利用可能な状態に設定することを特徴とする（１）に記載の携帯端末装置。
【０１１７】
（対応する実施形態）
この（３）に記載の携帯端末装置に関する実施形態は、第１及び第２実施形態が対応する。それらの実施形態において、電源ＳＷ１４が上記電源オンオフスイッチに、無線ＳＷが上記無線オンオフスイッチに、それぞれ対応する。
【０１１８】
（作用効果）
この（３）に記載の携帯端末装置は、電源オンオフスイッチ又は無線オンオフスイッチの状態に関わらず、無線通信インターフェイスを使用可能にする。  
従って、この（３）に記載の携帯端末装置によれば、電源オフの状態であっても、強制的に無線通信インターフェイスを自動的に稼動させるため、手動による設定が不要で、面倒でない。
【０１１９】
（４）  上記電力供給状態検出手段は、上記外部電源供給部に供給される電圧を検出した結果に基づいて信号を出力することを特徴とする（１）に記載の携帯端末装置。
【０１２０】
（対応する実施形態）
この（４）に記載の携帯端末装置に関する実施形態は、第１及び第２実施形態が対応する。
【０１２１】
（作用効果）
この（４）に記載の携帯端末装置は、電力供給状態（外部電源）の検出を外部電源供給部に印加される電圧を検知して行う。  
従って、この（４）に記載の携帯端末装置によれば、外部電源供給が確実に検出可能である。
【０１２２】
（５）  上記電力供給状態検出手段は、上記外部電源供給部に対して予め決められた相対位置に設けられ、光、磁界または電界を利用して当該外部電源供給部に対して外部の電源が電気的に接続したことを検出した結果に基づいて信号を出力することを特徴とする（１）に記載の携帯端末装置。
【０１２３】
（対応する実施形態）
この（５）に記載の携帯端末装置に関する実施形態は、第１及び第２実施形態が対応する。
【０１２４】
（作用効果）
この（５）に記載の携帯端末装置は、電力供給状態（外部電源）の検出を外部電源供給部の近傍に設けられたものであって、光、磁界、または電界を利用し検知する。  
従って、この（５）に記載の携帯端末装置によれば、外部電源供給の検出が、外部電源供給部の配置に左右されないため、設計自由度が高い。
【０１２５】
（６）  上記電力供給状態検出手段が上記外部からの電力供給がされる状態を検出している間は、上記制御手段は、上記無線通信インターフェイスを利用可能な状態に設定していることを特徴とする（１）に記載の携帯端末装置。
【０１２６】
（対応する実施形態）
この（６）に記載の携帯端末装置に関する実施形態は、第１及び第２実施形態が対応する。
【０１２７】
（作用効果）
この（６）に記載の携帯端末装置は、外部電力が供給されている限り無線通信インターフェイスを起動する。  
従って、この（６）に記載の携帯端末装置によれば、外部からの電力供給がされる状態においては無線通信インターフェイスの起動が維持されるため、設定が容易である。
【０１２８】
（７）  上記電力供給状態検出手段が上記外部からの電力供給がされる状態の中断を検出したとき、上記制御手段は、上記無線通信インターフェイスを利用可能な状態の設定を解除することを特徴とする（１）に記載の携帯端末装置。
【０１２９】
（対応する実施形態）
この（７）に記載の携帯端末装置に関する実施形態は、第１及び第２実施形態が対応する。
【０１３０】
（作用効果）
この（７）に記載の携帯端末装置は、外部電力の供給が中断されたとき無線通信インターフェイスの起動を止める。  
従って、この（７）に記載の携帯端末装置によれば、外部からの電力供給の中断時においては無線通信インターフェイスの起動が中止されるため、設定が容易であり、バッテリの消耗が防げる。
【０１３１】
（８）  上記制御手段は、上記無線通信インターフェイスを通じた上記ネットワークとの通信が所定の時間内に確立されないとき、上記無線通信インターフェイスを利用可能な状態の設定を解除することを特徴とする（１）に記載の携帯端末装置。
【０１３２】
（対応する実施形態）
この（８）に記載の携帯端末装置に関する実施形態は、第１及び第２実施形態が対応する。
【０１３３】
（作用効果）
この（８）に記載の携帯端末装置は、所定時間内に無線通信インターフェイスによる通信が確立しない場合、当該無線通信インターフェイスの起動を中止する。  
従って、この（８）に記載の携帯端末装置によれば、所定時間内に無線通信インターフェイスによる通信が確立されないとき、無線通信インターフェイスの起動が中止されるため、無駄な通信や電力消費を抑制できる。
【０１３４】
（９）  被写体を撮像する撮像手段と、
当該撮像手段によって撮像された当該被写体の画像のデータを記憶する記憶手段と、
利用可能な無線通信インターフェイスまたは有線通信インターフェイスを通じた、上記記憶手段に記憶された画像のデータに対する上記ネットワーク側からのアクセスを、制限するアクセス制限手段と、
を更に具備することを特徴とする（１）乃至（８）の何れかに記載の携帯端末装置。
【０１３５】
（対応する実施形態）
この（９）に記載の携帯端末装置に関する実施形態は、第２実施形態が対応する。その実施形態において、撮像部３６が上記撮像手段に、画像データ記憶部４６が上記記憶手段に、制御部３０が上記アクセス制限手段に、それぞれ対応する。
【０１３６】
（作用効果）
この（９）に記載の携帯端末装置は、撮像手段、画像のデータの記憶手段を有し、ネットワークからのアクセスを制限する。  
従って、この（９）に記載の携帯端末装置によれば、自動的に無線通信インターフェイスによりネットワークに接続した場合、問題のない（著作権の問題発生の可能性の低い）データのみに、アクセス可能なものを限定でき、初心者には好ましい。
【０１３７】
（１０）  上記記憶手段が上記撮像手段によって撮像された画像のデータ以外のデータを記憶しているとき、上記アクセス制限手段は、上記撮像手段によって撮像された画像のデータを含む上記記憶手段の記憶する一部のデータのみに、上記ネットワーク側からのアクセスを制限することを特徴とする（９）に記載の携帯端末装置。
【０１３８】
（対応する実施形態）
この（１０）に記載の携帯端末装置に関する実施形態は、第２実施形態が対応する。
【０１３９】
（作用効果）
この（１０）に記載の携帯端末装置は、アクセス制限手段が、画像のデータを含むデータ（画像のデータ＋α）にアクセスを制限する。  
従って、この（１０）に記載の携帯端末装置によれば、著作権問題の発生の可能性の低い、撮影した画像のデータ＋αにアクセスを制限できる。
【０１４０】
（１１）  上記アクセス制限手段は、上記撮像手段によって撮像された画像のデータのみに、上記ネットワーク側からのアクセスを制限することを特徴とする（１０）に記載の携帯端末装置。
【０１４１】
（対応する実施形態）
この（１１）に記載の携帯端末装置に関する実施形態は、第２実施形態が対応する。
【０１４２】
（作用効果）
この（１１）に記載の携帯端末装置は、アクセス制限手段が、撮像した画像のデータのみにアクセスを制限する。  
従って、この（１１）に記載の携帯端末装置によれば、著作権問題の発生の可能性の低い、撮影した画像のデータのみにアクセスを制限できる。
【０１４３】
（１２）  上記無線通信インターフェイスが利用可能な状態に設定されているときには、上記記憶手段及び上記アクセス制限手段を少なくとも含む本携帯端末装置の一部のみに、電源が供給されていることを特徴とする（９）に記載の携帯端末装置。
【０１４４】
（対応する実施形態）
この（１２）に記載の携帯端末装置に関する実施形態は、第２実施形態が対応する。
【０１４５】
（作用効果）
この（１２）に記載の携帯端末装置は、記憶手段とアクセス制限手段を含む装置の一部にのみに、電源を供給する。  
従って、この（１２）に記載の携帯端末装置によれば、無線通信時も省電力が実現できる。
【０１４６】
（１３）  無線通信によりネットワーク（ＬＡＮ）への接続を行う無線通信インターフェイスと、有線通信により直接的（イーサネット）または間接的（ＵＳＢ＋ＰＣ）に上記ネットワークへの接続を行う有線通信インターフェイスと、内蔵されるバッテリの充電または代替のために、外部からの電源が供給される外部電源供給部と、を備える携帯端末装置におけるネットワーク接続制御方法であって、
上記外部電源供給部に外部からの電力供給がされる状態になったかを検出し、
上記外部からの電力供給がされる状態を検出した後においては、上記有線通信インターフェイスによる上記ネットワークとの通信が可能かどうかに関わらず、上記無線通信インターフェイスを利用可能な状態に設定する、
ことを特徴とするネットワーク接続制御方法。
【０１４７】
（対応する実施形態）
この（１３）に記載のネットワーク接続制御方法に関する実施形態は、第１及び第２実施形態が対応する。それらの実施形態において、デジタルカメラ１０が上記携帯端末装置に、無線通信回路部３８が上記無線通信インターフェイスに、有線通信回路部５４が上記有線通信インターフェイスに、外部電源給電部５２が上記外部電源供給部に、ステップＳ１０が上記外部からの電力供給がされる状態になったかの検出に、ステップＳ１２が上記無線通信インターフェイスを利用可能な状態への設定に、それぞれ対応する。
【０１４８】
（作用効果）
この（１３）に記載のネットワーク接続制御方法は、外部電力供給時には有線接続の有無に関わらず無線通信インターフェイスを使用可能にする。  
従って、この（１３）に記載のネットワーク接続制御方法によれば、途中の有線ＬＡＮ，ＰＣが稼動していない場合であっても、無線通信インターフェイスを稼動させるため、ネットワーク接続機器からアクセスが可能となり、便利である。
【図面の簡単な説明】
【０１４９】
【図１】本発明の携帯端末装置の第１実施形態としてのデジタルカメラの外観を示す図である。
【図２】図１のデジタルカメラの電気的な構成を示すブロック図である。
【図３】図１のデジタルカメラにおいて所定のタイミングで実施される無線通信ルーチンのフローチャートを示す図である。
【図４】図３中のネットワーク接続開始サブルーチンのフローチャートを示す図である。
【図５】図３中のネットワーク応答サブルーチンのフローチャートを示す図である。
【図６】本発明の携帯端末装置の第２実施形態としてのデジタルカメラにおけるファイルリスト作成サブルーチンのフローチャートを示す図である。
【図７Ａ】第２実施形態における画像データ記憶部のファイル記憶構成を示す図である。
【図７Ｂ】第２実施形態におけるネットワーク公開用ファイルリストの例を示す図である。
【図８】第２実施形態におけるファイルリスト更新サブルーチンのフローチャートを示す図である。
【符号の説明】
【０１５０】
１０…デジタルカメラ、  １２…レリーズボタン、  １４…電源ＳＷ、  １６…フラッシュランプ、  １８…レンズ、  ２０…有線接続コネクタ、  ２２…外部電源コネクタ、  ２４…カラー液晶表示装置、  ２６…十字カーソルボタン、  ２８…メニューボタン、  ３０…制御部、  ３２…ＲＯＭ、  ３４…ＲＡＭ、  ３６…撮像部、  ３８…無線通信回路部、  ４０…アンテナ、  ４２…操作部、  ４４…表示部、  ４６…画像データ記憶部、  ４８…電源回路部、  ５０…電力供給状態検出部、  ５２…外部電源給電部、  ５４…有線通信回路部、  ５６…有線接続検出部。
【図１】
0004898574.tif 000002
【図２】
0004898574.tif 000003
【図３】
0004898574.tif 000004
【図４】
0004898574.tif 000005
【図５】
0004898574.tif 000006
【図６】
0004898574.tif 000007
【図７Ａ】
0004898574.tif 000008
【図７Ｂ】
0004898574.tif 000009
【図８】
0004898574.tif 000010